(57)【要約】【課題】情報コンテンツを構造化することで、情報コンテンツの作成作業にかかるコストを低減させ、かつ作成されるコンテンツの品質を向上させることができ、またさらには、高精度の検索や要約や翻訳などの情報サービスが広く利用可能となる環境を実現することのできる、新しい情報コンテンツ作成方法、情報コンテンツ作成プログラムおよび当該プログラムを記録したコンピュータ読み取り可能な記録媒体を提供する。【解決手段】処理部が、順序なしコンテンツをその構成要素を表わすノードおよび構成要素の等価性を表わすリンクを用いて構造化し（Ｓ１）、構造化された前記順序なしコンテンツと等価な順序つきコンテンツを前記ノードおよび前記リンクに基づいて作成する（Ｓ２）。【選択図】      図１
2005018172.tif 000002
【特許請求の範囲】
【請求項１】
処理部が、順序なしコンテンツをその構成要素を表わすノードおよび構成要素の間の２項関係を表わすリンクを用いて構造化するステップ、および
処理部が、構造化された前記順序なしコンテンツと等価な順序つきコンテンツを、前記ノードおよび前記リンクに基づいて作成するステップ、
を有することを特徴とする情報コンテンツ作成方法。
【請求項２】
処理部が、２項関係がリンクによって明示されており、且つ各述語に対してそれを主辞とする文がノードになっているとともにそれら文ノード間の関係がリンクによって明示されている順序なしコンテンツの入力を入力部から受け付ける、または当該順序なしコンテンツを予め記憶した記憶部から読み出すステップ、および
処理部が、前記順序なしコンテンツにおける等価性以外の前記リンクで結ばれた前記文同士が隣接するように前記文を並べることにより、前記順序なしコンテンツと等価な順序つきコンテンツを作成するステップ、
を有することを特徴とする情報コンテンツ作成方法。
【請求項３】
処理部が、２項関係がリンクによって明示されており、且つ各述語に対してそれを主辞とする文がノードになっているとともにそれら文ノード間の関係がリンクによって明示されている順序なしコンテンツの入力を入力部から受け付ける、または当該順序なしコンテンツを予め記憶した記憶部から読み出すステップ、および
処理部が、前記順序なしコンテンツにおける前記文ノード間の関係を表わす前記リンクと等価な表現を用いて前記文の間を結びつけることにより、前記順序なしコンテンツと等価な順序つきコンテンツを作成するステップ、
を有することを特徴とする情報コンテンツ作成方法。
【請求項４】
処理部が、２項関係がリンクによって明示されており、且つ各述語に対してそれを主辞とする文がノードになっているとともにそれら文ノード間の関係がリンクによって明示されている順序なしコンテンツの入力を入力部から受け付ける、または当該順序なしコンテンツを予め記憶した記憶部から読み出すステップ、および
処理部が、前記順序なしコンテンツにおける前記文の間の等価な表現を省略するあるいは代用表現で置き換えることにより、前記順序なしコンテンツと等価な順序つきコンテンツを作成するステップ、
を有することを特徴とする情報コンテンツ作成方法。
【請求項５】
処理部が、順序なしコンテンツの構成要素およびそれを表すノードの入力を入力部から受け付けるステップ、
処理部が、順序なしコンテンツの前記構成要素の等価関係または意味関係を表わすリンクの入力を入力部から受け付ける、または当該リンクを作成するステップ、
処理部が、入力された前記構成要素および前記ノードと入力または作成された前記リンクとで構成される順序なしコンテンツを作成するステップ、および
処理部が、前記ノードおよび前記リンクに基づき前記等価関係または前記意味関係を維持しながら、前記構成要素を提示の時間的順序を与えて並べることにより、前記順序なしコンテンツと等価な順序つきコンテンツを作成するステップ、を有することを特徴とする情報コンテンツ作成方法。
【請求項６】
前記処理部が、作成された前記順序なしコンテンツおよび前記順序つきコンテンツを表示部に表示するステップ、
前記処理部が、表示された前記順序なしコンテンツおよび前記順序つきコンテンツにおけるいずれか一つまたは複数の前記ノードまたは前記リンクの選択を入力部から受け付けるステップ、
前記処理部が、選択された前記ノードまたは前記リンクと等価な他のノードまたは他のリンクを検索するステップ、および
前記処理部が、選択された前記ノードまたは前記リンクおよび検索された前記ノードまたは前記リンクを表示部に強調表示するステップ、
をさらに有することを特徴とする請求項５記載の情報コンテンツ作成方法。
【請求項７】
前記処理部が、強調表示された前記ノードまたは前記リンクに関する表示の変更についての入力情報を入力部から入力するステップ、および
前記処理部が、入力部からの前記入力情報に従って、表示部での前記ノードまたは前記リンクに関する表示を変更させるステップ、
をさらに有することを特徴とする請求項６記載の情報コンテンツ作成方法。
【請求項８】
前記処理部が、強調表示された前記ノードまたは前記リンクの集合に関する表示および表現の変更についての入力情報を入力部から入力するステップ、および前記処理部が、入力部からの前記入力情報に従って、前記ノードまたは前記リンクの集合に関する表現を変更したものを表示部に表示させるステップ、
をさらに有することを特徴とする請求項６記載の情報コンテンツ作成方法。
【請求項９】
前記処理部が、強調表示された前記ノードまたは前記リンクに関する意味内容の変更についての入力情報を入力部から入力するステップ、および
前記処理部が、入力部からの前記入力情報に従って、前記ノードまたは前記リンクに関する意味内容を変更するステップ、
をさらに有することを特徴とする請求項６記載の情報コンテンツ作成方法。
【請求項１０】
順序なしコンテンツから順序つきコンテンツを作成するために、コンピュータを、
順序なしコンテンツをその構成要素を表わすノードおよび構成要素の間の２項関係を表わすリンクを用いて構造化する手段、および
構造化された前記順序なしコンテンツと等価な順序つきコンテンツを、前記ノードおよび前記リンクに基づいて作成する手段、
として機能させることを特徴とする情報コンテンツ作成プログラム。
【請求項１１】
順序なしコンテンツから順序つきコンテンツを作成するために、コンピュータを、
２項関係がリンクによって明示されており、且つ各述語に対してそれを主辞とする文がノードになっているとともにそれら文ノード間の関係がリンクによって明示されている順序なしコンテンツの入力を入力部から受け付ける、または当該順序なしコンテンツを予め記憶した記憶部から読み出す手段、および
前記順序なしコンテンツにおける等価性以外の前記リンクで結ばれた前記文同士が隣接するように前記文を並べることにより、前記順序なしコンテンツと等価な順序つきコンテンツを作成する手段、
として機能させることを特徴とする情報コンテンツ作成プログラム。
【請求項１２】
順序なしコンテンツから順序つきコンテンツを作成するために、コンピュータを、
２項関係がリンクによって明示されており、且つ各述語に対してそれを主辞とする文がノードになっているとともにそれら文ノード間の関係がリンクによって明示されている順序なしコンテンツの入力を入力部から受け付ける、または当該順序なしコンテンツを予め記憶した記憶部から読み出す手段、および
前記順序なしコンテンツにおける前記文ノード間の関係を表わす前記リンクと等価な表現を用いて前記文の間を結びつけることにより、前記順序なしコンテンツと等価な順序つきコンテンツを作成する手段、
として機能させることを特徴とする情報コンテンツ作成プログラム。
【請求項１３】
順序なしコンテンツから順序つきコンテンツを作成するために、コンピュータを、
２項関係がリンクによって明示されており、且つ各述語に対してそれを主辞とする文がノードになっているとともにそれら文ノード間の関係がリンクによって明示されている順序なしコンテンツの入力を入力部から受け付ける、または当該順序なしコンテンツを予め記憶した記憶部から読み出す手段、および
前記順序なしコンテンツにおける前記文の間の等価な表現を省略するあるいは代用表現で置き換えることにより、前記順序なしコンテンツと等価な順序つきコンテンツを作成する手段、
として機能させることを特徴とする情報コンテンツ作成プログラム。
【請求項１４】
順序なしコンテンツから順序つきコンテンツを作成するために、コンピュータを、
順序なしコンテンツの構成要素およびそれを表すノードの入力を入力部から受け付ける手段、
順序なしコンテンツの前記構成要素の等価関係または意味関係を表わすリンクの入力を入力部から受け付ける、または当該リンクを作成する手段、
入力された前記構成要素および前記ノードと入力または作成された前記リンクとで構成される順序なしコンテンツを作成する手段、および
前記ノードおよび前記リンクに基づき前記等価関係または前記意味関係を維持しながら、前記構成要素を提示の時間的順序を与えて並べることにより、前記順序なしコンテンツと等価な順序つきコンテンツを作成する手段、
として機能させることを特徴とする情報コンテンツ作成プログラム。
【請求項１５】
作成された前記順序なしコンテンツおよび前記順序つきコンテンツを表示部に表示する手段、
表示された前記順序なしコンテンツおよび前記順序つきコンテンツにおけるいずれか一つまたは複数の前記ノードまたは前記リンクの選択を入力部から受け付ける手段、
選択された前記ノードまたは前記リンクと等価な他のノードまたは他のリンクを検索する手段、および
選択された前記ノードまたは前記リンクおよび検索された前記ノードまたは前記リンクを表示部に強調表示する手段、
としてさらに機能させることを特徴とする請求項１４記載の情報コンテンツ作成プログラム。
【請求項１６】
強調表示された前記ノードまたは前記リンクに関する表示の変更についての入力情報を入力部から入力する手段、および
入力部からの前記入力情報に従って、表示部での前記ノードまたは前記リンクに関する表示を変更させる手段、
としてさらに機能させることを特徴とする請求項１５記載の情報コンテンツ作成プログラム。
【請求項１７】
強調表示された前記ノードまたは前記リンクの集合に関する表示および表現の変更についての入力情報を入力部から入力する手段、および
入力部からの前記入力情報に従って、前記ノードまたは前記リンクの集合に関する表現を変更したものを表示部に表示させる手段、
としてさらに機能させることを特徴とする請求項１５記載の情報コンテンツ作成プログラム。
【請求項１８】
強調表示された前記ノードまたは前記リンクに関する意味内容の変更についての入力情報を入力部から入力する手段、および
入力部からの前記入力情報に従って、前記ノードまたは前記リンクに関する意味内容を変更する手段、
としてさらに機能させることを特徴とする請求項１５記載の情報コンテンツ作成プログラム。
【請求項１９】
前記請求項１０ないし１８のいずれかに記載の情報コンテンツ作成プログラムを記録したコンピュータ読み取り可能な記録媒体。
【発明の詳細な説明】
【０００１】
【発明の属する技術分野】
この出願の発明は、情報コンテンツ作成方法、情報コンテンツ作成プログラムおよび情報コンテンツ作成プログラムを記録したコンピュータ読み取り可能な記録媒体に関するものである。さらに詳しくは、この出願の発明は、情報コンテンツ作成方法、情報コンテンツ作成プログラムおよび情報コンテンツ作成プログラムを記録したコンピュータ読み取り可能な記録媒体に関するものである。
【０００２】
【従来の技術】
情報コンテンツの作成は、内容そのものの発想、およびその具現化つまり提示の時間順序の決定を含む整形という、主に２種類の作業からなる。また、既存のコンテンツを部分的に再利用して新たなコンテンツを作成しようとする際には、再利用すべき部分の選択と、その内容を新たなコンテンツの文脈に適合させる変換が必要である。
【０００３】
このようなコンテンツの作成を支援する従来の技術としては、コンテンツの意味内容そのもの、つまり提示の時間的順序が定まっていないコンテンツを作り出すための発想支援ツール等、および最終的なコンテンツ、つまり提示の時間的順序が決まったコンテンツを作成するためのワードプロセッサやアウトラインエディタ等がある。
【０００４】
【発明が解決しようとする課題】
しかしながら、これらの従来技術では、コンテンツの意味内容が十分明確に表現されていないために、その意味内容から最終的なコンテンツを自動的に生成することができず、したがってコンテンツを作成する作業の全般を一貫して支援することができなかった。
【０００５】
また、多くのコンテンツの意味内容を明示的に構造化しておけば高度な検索や翻訳等のサービスが可能になると考えられるが、実際に多くのコンテンツをそのように構造化することをコンテンツ作成者に動機付けることは困難であった。これは、コンテンツ作成者にとって、検索や翻訳のメリットが、すぐに自分が享受できる直接的なものでなく、後で他人が享受することによって自分の情報発信が成功する可能性が高まるに過ぎないという間接的なものであるためと考えられる。
【０００６】
そこで、この出願の発明は、以上のとおりの事情に鑑み、情報コンテンツを構造化することで、情報コンテンツの作成作業にかかるコストを低減させ、かつ作成されるコンテンツの品質を向上させることができ、またさらには、高精度の検索や要約や翻訳などの情報サービスが広く利用可能となる環境を実現することのできる、新しい情報コンテンツ作成方法、情報コンテンツ作成プログラムおよび情報コンテンツ作成プログラムを記録したコンピュータ読み取り可能な記録媒体を提供することを課題としている。
【０００７】
【課題を解決するための手段】
この出願の発明は、上記の課題を解決するものとして、たとえば図１〜図３および図４にその処理フロー図および装置構成図を例示したような、処理部が、順序なしコンテンツをその構成要素を表わすノードおよび構成要素の間の２項関係を表わすリンクを用いて構造化するステップＳ１、および処理部が、構造化された前記順序なしコンテンツと等価な順序つきコンテンツを、前記ノードおよび前記リンクに基づいて作成するステップＳ２、を有することを特徴とする情報コンテンツ作成方法や、
処理部が、２項関係がリンクによって明示されており、且つ各述語に対してそれを主辞とする文がノードになっているとともにそれら文ノード間の関係がリンクによって明示されている順序なしコンテンツの入力を入力部から受け付ける、または当該順序なしコンテンツを予め記憶した記憶部から読み出すステップＳ１１、および処理部が、前記順序なしコンテンツにおける等価性以外の前記リンクで結ばれた前記文同士が隣接するように前記文を並べることにより、前記順序なしコンテンツと等価な順序つきコンテンツを作成するステップＳ１２、を有することを特徴とする情報コンテンツ作成方法や、
処理部が、２項関係がリンクによって明示されており、且つ各述語に対してそれを主辞とする文がノードになっているとともにそれら文ノード間の関係がリンクによって明示されている順序なしコンテンツの入力を入力部から受け付ける、または当該順序なしコンテンツを予め記憶した記憶部から読み出すステップＳ１１、および処理部が、前記順序なしコンテンツにおける前記文ノード間の関係を表わす前記リンクと等価な表現を用いて前記文の間を結びつけることにより、前記順序なしコンテンツと等価な順序つきコンテンツを作成するステップＳ１２、を有することを特徴とする情報コンテンツ作成方法や、
処理部が、２項関係がリンクによって明示されており、且つ各述語に対してそれを主辞とする文がノードになっているとともにそれら文ノード間の関係がリンクによって明示されている順序なしコンテンツの入力を入力部から受け付ける、または当該順序なしコンテンツを予め記憶した記憶部から読み出すステップＳ１１、および処理部が、前記順序なしコンテンツにおける前記文の間の等価な表現を省略するあるいは代用表現で置き換えることにより、前記順序なしコンテンツと等価な順序つきコンテンツを作成するステップＳ１２、を有することを特徴とする情報コンテンツ作成方法や、
処理部が、順序なしコンテンツの構成要素およびそれを表すノードの入力を入力部から受け付けるステップＳ２１、処理部が、順序なしコンテンツの前記構成要素の等価関係または意味関係を表わすリンクの入力を入力部から受け付ける、または当該リンクを作成するステップＳ２２、処理部が、入力された前記構成要素および前記ノードと入力または作成された前記リンクとで構成される順序なしコンテンツを作成するステップＳ２３、および処理部が、前記ノードおよび前記リンクに基づき前記等価関係または前記意味関係を維持しながら、前記構成要素を提示の時間的順序を与えて並べることにより、前記順序なしコンテンツと等価な順序つきコンテンツを作成するステップＳ２４、を有することを特徴とする情報コンテンツ作成方法や、
前記処理部が、作成された前記順序なしコンテンツおよび前記順序つきコンテンツを表示部に表示するステップＳ２５、前記処理部が、表示された前記順序なしコンテンツおよび前記順序つきコンテンツにおけるいずれか一つまたは複数の前記ノードまたは前記リンクの選択を入力部から受け付けるステップＳ２６、前記処理部が、選択された前記ノードまたは前記リンクと等価な他のノードまたは他のリンクを検索するステップＳ２７、および前記処理部が、選択された前記ノードまたは前記リンクおよび検索された前記ノードまたは前記リンクを表示部に強調表示するステップＳ２８、をさらに有することを特徴とする情報コンテンツ作成方法や、
前記処理部が、強調表示された前記ノードまたは前記リンクに関する表示の変更についての入力情報を入力部から入力するステップＳ２９、および前記処理部が、入力部からの前記入力情報に従って、表示部での前記ノードまたは前記リンクに関する表示を変更させるステップＳ２１０、をさらに有することを特徴とする情報コンテンツ作成方法や、
前記処理部が、強調表示された前記ノードまたは前記リンクの集合に関する表示および表現の変更についての入力情報を入力部から入力するステップＳ２９、および前記処理部が、入力部からの前記入力情報に従って、前記ノードまたは前記リンクの集合に関する表現を変更したものを表示部に表示させるステップＳ２１０、をさらに有することを特徴とする情報コンテンツ作成方法や、
前記処理部が、強調表示された前記ノードまたは前記リンクに関する意味内容の変更についての入力情報を入力部から入力するステップＳ２９、および前記処理部が、入力部からの前記入力情報に従って、前記ノードまたは前記リンクに関する意味内容を変更するステップＳ２１０、をさらに有することを特徴とする情報コンテンツ作成方法を提供する。
【０００８】
また、この出願の発明は、これら情報コンテンツ作成方法を実行する情報コンテンツ作成プログラムをも提供する。より具体的には、順序なしコンテンツから順序つきコンテンツを作成するために、コンピュータを、順序なしコンテンツをその構成要素を表わすノードおよび構成要素の間の２項関係を表わすリンクを用いて構造化する手段、および構造化された前記順序なしコンテンツと等価な順序つきコンテンツを、前記ノードおよび前記リンクに基づいて作成する手段、として機能させることを特徴とする情報コンテンツ作成プログラムや、
順序なしコンテンツから順序つきコンテンツを作成するために、コンピュータを、２項関係がリンクによって明示されており、且つ各述語に対してそれを主辞とする文がノードになっているとともにそれら文ノード間の関係がリンクによって明示されている順序なしコンテンツの入力を入力部から受け付ける、または当該順序なしコンテンツを予め記憶した記憶部から読み出す手段、および前記順序なしコンテンツにおける等価性以外の前記リンクで結ばれた前記文同士が隣接するように前記文を並べることにより、前記順序なしコンテンツと等価な順序つきコンテンツを作成する手段、として機能させることを特徴とする情報コンテンツ作成プログラムや、
順序なしコンテンツから順序つきコンテンツを作成するために、コンピュータを、２項関係がリンクによって明示されており、且つ各述語に対してそれを主辞とする文がノードになっているとともにそれら文ノード間の関係がリンクによって明示されている順序なしコンテンツの入力を入力部から受け付ける、または当該順序なしコンテンツを予め記憶した記憶部から読み出す手段、および前記順序なしコンテンツにおける前記文ノード間の関係を表わす前記リンクと等価な表現を用いて前記文の間を結びつけることにより、前記順序なしコンテンツと等価な順序つきコンテンツを作成する手段、として機能させることを特徴とする情報コンテンツ作成プログラムや、
順序なしコンテンツから順序つきコンテンツを作成するために、コンピュータを、２項関係がリンクによって明示されており、且つ各述語に対してそれを主辞とする文がノードになっているとともにそれら文ノード間の関係がリンクによって明示されている順序なしコンテンツの入力を入力部から受け付ける、または当該順序なしコンテンツを予め記憶した記憶部から読み出す手段、および前記順序なしコンテンツにおける前記文の間の等価な表現を省略するあるいは代用表現で置き換えることにより、前記順序なしコンテンツと等価な順序つきコンテンツを作成する手段、として機能させることを特徴とする情報コンテンツ作成プログラムや、
順序なしコンテンツから順序つきコンテンツを作成するために、コンピュータを、順序なしコンテンツの構成要素およびそれを表すノードの入力を入力部から受け付ける手段、順序なしコンテンツの前記構成要素の等価関係または意味関係を表わすリンクの入力を入力部から受け付ける、または当該リンクを作成する手段、入力された前記構成要素および前記ノードと入力または作成された前記リンクとで構成される順序なしコンテンツを作成する手段、および前記ノードおよび前記リンクに基づき前記等価関係または前記意味関係を維持しながら、前記構成要素を提示の時間的順序を与えて並べることにより、前記順序なしコンテンツと等価な順序つきコンテンツを作成する手段、として機能させることを特徴とする情報コンテンツ作成プログラムや、
作成された前記順序なしコンテンツおよび前記順序つきコンテンツを表示部に表示する手段、表示された前記順序なしコンテンツおよび前記順序つきコンテンツにおけるいずれか一つまたは複数の前記ノードまたは前記リンクの選択を入力部から受け付ける手段、選択された前記ノードまたは前記リンクと等価な他のノードまたは他のリンクを検索する手段、および選択された前記ノードまたは前記リンクおよび検索された前記ノードまたは前記リンクを表示部に強調表示する手段、としてさらに機能させることを特徴とする情報コンテンツ作成プログラムや、
強調表示された前記ノードまたは前記リンクに関する表示の変更についての入力情報を入力部から入力する手段、および入力部からの前記入力情報に従って、表示部での前記ノードまたは前記リンクに関する表示を変更させる手段、としてさらに機能させることを特徴とする情報コンテンツ作成プログラムや、
強調表示された前記ノードまたは前記リンクの集合に関する表示および表現の変更についての入力情報を入力部から入力する手段、および入力部からの前記入力情報に従って、前記ノードまたは前記リンクの集合に関する表現を変更したものを表示部に表示させる手段、としてさらに機能させることを特徴とする情報コンテンツ作成プログラムや、
強調表示された前記ノードまたは前記リンクに関する意味内容の変更についての入力情報を入力部から入力する手段、および入力部からの前記入力情報に従って、前記ノードまたは前記リンクに関する意味内容を変更する手段、としてさらに機能させることを特徴とする情報コンテンツ作成プログラムを提供する。
【０００９】
またさらに、この出願の発明は、前記情報コンテンツ作成プログラムを記録したコンピュータ読み取り可能な記録媒体をも提供する。
【００１０】
【発明の実施の形態】
以下、上記のとおりの特徴を有するこの出願の発明の実施の形態について、各処理毎に詳細に説明する。
【００１１】
なお、図１および図２に示した処理フローでは、処理部が、順序なしコンテンツを修正するステップＳ３（図１），Ｓ１３（図２）、および処理部が、順序つきコンテンツを修正するステップＳ４（図１），Ｓ１４（図２）をも有するものとなっており、順序なしコンテンツの構造化Ｓ１（図１）もしくは入力／読み込みＳ１１（図２）または順序つきコンテンツの作成Ｓ２（図１），Ｓ１２（図２）後にその順序なしコンテンツや順序つきコンテンツの修正Ｓ３，Ｓ４（図１），Ｓ１３，Ｓ１４（図２）を行い、またそれら修正を相互に前後して行うようにもなっている）
また、図４に示したシステム構成では、表示部（１）、入力部（２）、処理部（ＣＰＵ）（３）、主記憶部（４）、データベース（５）、バス（６）を備えており、主記憶部（４）には、情報コンテンツ作成プログラム、初期設定、パラメータ等の各種データが記憶され、データベース（５）には、各種処理に必要とされるデータが予め蓄積され、これら主記憶部（４）およびデータベース（４）とバス（６）により接続されている処理部（３）は、情報コンテンツ作成処理を実行し、情報コンテンツ作成プログラムに従った各手段として機能する。またコンテンツ等を表示するディスプレイ装置等の表示部（１）およびキーボード等の入力部（２）ともバス（６）により接続されて、各種データの入出力処理をも実行する。
【００１２】
［用語の定義］
ここでは、この出願の発明による情報コンテンツ作成支援について詳細に説明する前に、作成支援における各用語の定義について説明する。
【００１３】
まず、この出願の発明が扱うコンテンツの意味内容とは、命題内容（ｐｒｏｐｏｓｉｔｉｏｎａｌ  ｃｏｎｔｅｎｔ）や対話構造（ｄｉａｌｏｇｕｅ  ｓｔｒｕｃｔｕｒｅ）など、言語によって明示的に記述できる内容のことをいい、生の身体感覚や文学的ニュアンスは必ずしも含まない。
【００１４】
文字や静止画など、時間の次元を持たない、つまり提示の時間的順序が意味をなさないコンテンツを「要素コンテンツ」（ｅｌｅｍｅｎｔａｒｙ  ｃｏｎｔｅｎｔ）と呼ぶこととする。いくつかのコンテンツを構成要素とする、より大きなコンテンツを「複合コンテンツ」（ｃｏｍｐｏｕｎｄ  ｃｏｎｔｅｎｔ）と呼ぶこととする。複合コンテンツの直接の構成要素である要素コンテンツまたは別の複合コンテンツをその「子」（ｃｈｉｌｄ）と呼び、その複合コンテンツをその子の「親」（ｐａｒｅｎｔ）と呼ぶこととする。１個のコンテンツが複数個の子を持つことも、複数個の親を持つこともありうる。コンテンツの間には親子関係以外にもさまざまな２項関係があり、それらは特別な要素コンテンツだと見なす。
【００１５】
複合コンテンツは、子コンテンツの他に、１個のタグと０個以上の属性を持つ。タグは識別子であり、属性は属性名と属性値の組である。タグの例としては、「節」、「段落」、「文」、「名詞句」、「動詞」などがある。属性の例としては、言語、つまり何語で書かれているか、意味タイプ、つまり当該のコンテンツが表わすものがどの概念の具体例であるか、などがある。複合コンテンツは、たとえばＸＭＬ（＝ｅＸｔｅｎｓｉｂｌｅ  Ｍａｒｋｕｐ  Ｌａｎｇｕａｇｅ）のエレメントとして表現でき、コンテンツの間の親子関係は、たとえばエレメントの包含関係またはＩＤＲＥＦ（＝各文書ごとに唯一の識別子への参照）属性等によって表現できる。コンテンツの間のその他の関係は、たとえばＩＤＲＥＦ属性やＸｌｉｎｋによって表現できる。
【００１６】
複合コンテンツのうち、２項関係以外の子の間に提示の時間的順序が定まっているものを「順序つきコンテンツ」（＝ｏｒｄｅｒｅｄ  ｃｏｎｔｅｎｔ）、定まっていないものを「順序なしコンテンツ」（＝ｕｎｏｒｄｅｒｅｄ  ｃｏｎｔｅｎｔ）と呼ぶこととする。文字が連なってできるテキストや、静止画が連なってできる動画は、順序つきコンテンツである。順序つきコンテンツが順序なしコンテンツの子でもよいし、順序なしコンテンツが順序つきコンテンツの子でもよい。
【００１７】
複合コンテンツは、その子たちからなるグラフ（ネットワークとも呼ぶ）である。このグラフのリンクは２項関係であり、ノードは２項関係以外の子コンテンツである。複合つきコンテンツであるようなノードを「複合ノード」（＝ｃｏｍｐｏｕｎｄ  ｎｏｄｅ）、順序コンテンツであるようなノードを「順序つきノード」（＝ｏｒｄｅｒｅｄ  ｎｏｄｅ）、順序なしコンテンツであるようなノードを「順序なしノード」（＝ｕｎｏｒｄｅｒｅｄ  ｎｏｄｅ）、文字であるノードを「文字ノード」などと呼ぶこととする。順序つきコンテンツにおいてはノードの間に提示の時間的順序が定まっているので、順序つきコンテンツを表示する際にはノードをそれに応じて配列する。
【００１８】
ここで、３個の順序つきノード（＝順序つき子コンテンツ）を子に持つ順序つきコンテンツの表示の例を、図５に示す。この例において、子ノードの間での提示の時間的順序は上から下の向きである。親ノードのラベルは「段落」、子ノードのラベルは「文」であり、それぞれ表示されている。また、一番上の第一子ノードおよび真中の第２子ノードと一番下の第３子ノード内部の「したがって」との関係、つまり前者が後者の引数であることを表わすリンクが、各ノードを結ぶ矢印によって表示されている。各子ノードは、単語や句などの順序つきノードからなる階層構造を持つが、煩雑さを避けるため、図５ではその構造を明示していない。
【００１９】
図５の順序つきコンテンツと同じ意味内容を持つ順序なしコンテンツの例を、図６に示す。この順序なしコンテンツは３個の複合コンテンツを子に持つ。そのうち右上の子は順序なしコンテンツ（＝順序なし子コンテンツ）であるが、他の２個は順序つきコンテンツ（＝順序つき子コンテンツ）である。右上の順序なし子コンテンツの中のリンク「条件」は順序つきコンテンツ「アノテーションの精度が高い」が順序つきコンテンツ「検索の精度が高い」の十分条件である関係、つまりアノテーションの精度が高いならば検索の精度が高いということを表わしている。また、下にある順序なし子コンテンツと左上および右上の順序なし子コンテンツとはそれぞれ「理由」のリンクで結びつけられており、後者が前者の理由であるという関係を表わしている。
【００２０】
順序なしコンテンツでは、ノードの間に提示の順序がなく配置の自由度が高いため、グラフ構造に関する様々な空間的操作、たとえば関連するノード同士を近づける操作やリンクで結ぶ操作などが可能であり、これらの操作は利用者の発想を喚起する効果を持つ。
【００２１】
［情報コンテンツの作成支援］
続いて、以上のとおりの用語定義に基づき、この出願の発明による情報コンテンツの作成支援について説明する。
【００２２】
この出願の発明では、順序なしコンテンツの作成段階からその意味内容を構造化しておくことで、その意味構造を用いて順序つきコンテンツを自動作成する。すなわち、順序なしコンテンツを十分細かく構造化しておけば、それと「等価」な、つまり同じ事物を意味する順序つきコンテンツを自動的に作成することができるので、前述の従来技術の問題点を解決するには、順序なしコンテンツの構造化が効率良く行えるように、またそれに基づいて順序つきコンテンツを効率良く作成できるように、利用者を支援すればよいのである。
【００２３】
まず、順序なしコンテンツの構造化およびそれに基づく順序つきコンテンツの自動作成では、「等価性」の扱いが重要である。
【００２４】
等価性の関係は、グラフ（＝複合コンテンツ）のリンク（＝２項関係）として表現される。この等価性を表わすリンクは、ノード（＝２項関係以外の子コンテンツ）同士だけでなく、ノードとリンク、およびリンク同士を結ぶこともある。また、あるコンテンツが別のコンテンツの要約であるとき、両者は表現の粒度が異なるが等価であるので、要約の関係は等価性の一種であるとする。
【００２５】
このような等価性の関係に基づき、順序なしコンテンツを次の２つの条件を満たすように構造化する。
【００２６】
・等価性をすべてリンクによって明示する。つまり、順序なしコンテンツにおいて、等価なノード同士、等価なノードとリンク、等価なリンク同士、等価なコンテンツとその要約などをすべて等価関係を表わすリンクによって結びつける（図２の装置構成では、ＣＰＵ（３）が、結びつけるべきノードおよび等価性リンクの入力を入力部（１）から受け付けてこの等価性リンクによって等価対象を結びつける、あるいは等価性リンクを自動作成してそれによって等価対象を結びつける）。
【００２７】
・各述語に対して、それを主辞とする文をノードに設定し、それらのノードの間の関係をすべてリンクによって明示する。つまり、あるコンテンツに含まれるある述語に対して、それを主辞とする他のコンテンツである文をノードに設定するとともに、それら文ノード間を「理由」、「原因」、「逆接」、「条件」などの各種意味関係を表わすリンクで結びつける（図２の装置構成では、ＣＰＵ（３）が、結びつけるべきノードおよび関係リンクの入力を入力部（１）から受け付けてこの関係リンクによってノードを結びつける、あるいは述語および主辞を自動認識してそれらをノードに自動設定し、且つ意味リンクを自動作成して結びつける）。
【００２８】
この条件を満たして構造化された順序なしコンテンツから等価な順序つきコンテンツを生成するには、たとえば次のような処理を行う（図２の装置構成ではＣＰＵ（３）が実行）。もちろんこれらは全て同時に処理されてもよい。
【００２９】
・等価性以外のリンクで結ばれた文同士が隣接するように文を並べる。
【００３０】
・それらの間の関係を表わすリンクと等価な接続詞や接続助詞等の表現を用いて文の間を結びつける。
【００３１】
・等価な表現を省略したり、代名詞（「私・あなた・彼」などの人称代名詞や「これ・そちら・あそこ」などの指示代名詞など）や確定記述（「その人」など）等の代用表現で置き換えたりする。
【００３２】
たとえば、図７は、等価なコンテンツの内部構造の対応関係を例示したものであり、この例では、右側の順序なしコンテンツにおいて、２つの「太郎」が等価性のリンク（破線）で繋がれ、２つの文の間の関係が「原因」のリンクで明示されているので、「太郎は背が低い」と「太郎が中に入れる」をこの順に並べ、「原因」のリンクと等価な接続詞「ので」によってこれらの文を結びつけ、等価性に基づいて「太郎が」を省略することにより、同図の左側の順序つきコンテンツが自動生成される。
【００３３】
また、図８は別の一例を示したものであり、この例では、順序なしコンテンツにおいて、その子コンテンツ内の２つの「太郎」と２つの「入口」が等価性のリンクで繋がれ、文の間の関係が「原因」と「逆接」のリンクで明示されている。このような意味内容の構造を用いて、まず「原因」のリンクを「太郎は背が低い」の関係節化で表現することにより「太郎が中に入れる」と組み合わせて「背が低い太郎が中に入れる」という文を作り、さらにこの文を「逆接」のリンクに対応する接続詞「でも」で「入口が狭い」に続け、また「入口を」を省略することにより、たとえば「入口が狭い。でも背が低い太郎が通れる。」という文章の順序つきコンテンツが自動生成される。ここで、たとえば「入口が狭い。太郎は背が低い。でも太郎が入口を通れる。」のように、逆接の関係にある「入口が狭い」と「でも太郎が入口を通れる。」が隣接しないと座りが悪いので、等価性以外のリンクで結ばれた２つの文は隣接させることが望ましい。
【００３４】
なお、このような順序なしコンテンツから順序つきコンテンツへの自動生成においては、コンテンツ全体にわたり、次の制約が成り立つようにする。すなわち、コンテンツの表示、表現または意味内容に変更が加えられた場合、等価性の関係を保存するように、派生的な変更が生ずる。上述のように要約は等価性の一種なので、この制約は要約のリンクに関しても適用される。
【００３５】
制約：２個の複合ノードの間が等価性のリンクで結ばれているとき、実際にそれらの複合ノードは等価である。また、一方の複合ノード内のノードまたはリンクｕが他方の複合ノード内のノードまたはリンクｖと等価ならば、ｕとｖとの間が等価性のリンクで結ばれている。
【００３６】
たとえば図７において、左右２つのコンテンツは等価性のリンク（破線）で結ばれているので、それらの内部のコンテンツで等価なもの同士も等価性のリンクで結ばれている。
【００３７】
上記制約による細かい対応関係を用いることにより、制約自身を維持することが容易になる。たとえば、図７のように、自然言語の単語とリンクの間、単語と単語の間での対応関係がわかっていれば、単語やリンクの消去や変更に応じて、対応する単語やリンクの消去や変更を行えばよい。
【００３８】
ただし、実用上は制約を厳密に成立させる必要はなく、等価性のリンクで結ぶノードまたはリンクの種類をある程度限定しても構わない。たとえば、日本語のコンテンツであるような順序つきノードの内部のノードであって助詞を主辞とするものは等価性のリンクで結ぶ必要がない場合がある。
【００３９】
この出願の発明によるコンテンツ作成支援システムでは、利用者は、いくつかのウィンドウを同時並行的に用いながらコンテンツを作成することができる。各ウィンドウは、図５や図６のような仕方で一つの複合コンテンツの全部または一部を表示する。
【００４０】
利用者は、複合コンテンツのグラフにおいて、ノードおよびリンクに関して選択やその解除などを行うことができる。テキストとして表示されている順序つきコンテンツの内部の階層構造は必ずしも完全には表示しなくてもよい。その階層構造の中の明示的に表示されていないノードを選択するには、たとえば、テキストの中をクリックするとクリックした箇所を含むノード（文字ノードを除く）が強調表示され、利用者がその中から適当なものを選ぶ、という方法がある。図９の例では下から小さい順にポップアップされている。
【００４１】
一時に選択される対象は複数個でもよい。選択されている対象の集合をＸと書くとする。Ｘの要素がノードｘのみである場合、ｘと等価なノードのうち表示されているものは強調表示されているとする。たとえば図９に示した操作によって選択されたノード（左上のノードの中の「アノテーション」という順序つきノード）をｘとすれば、ｘと等価な他の２個のノードが強調表示される。図１０の例ではハイライト表示されている。リンクを選択した場合も同様に等価なリンクが強調表示される。
【００４２】
選択されている対象に関する操作には、表示だけを変更する操作、表示と表現だけを変更する操作、および意味内容を変更する操作の３種がある。後２者の場合には、前記制約を満たすため、利用者が明示的に指定しない変更が派生的に行われる場合がある。
【００４３】
コンテンツの表示だけを変更する操作は、たとえば次のようなものを含む。ここで、ｘはＸの任意の要素である。
【００４４】
「表示」：現在表示されていないがノードｘとつながっているノードやリンクを表示させる（図４の装置構成では、ＣＰＵ（３）が、このような表示変更についての入力情報を入力部（２）から受け、それに従って該当するノードやリンクを検索し、それを表示部（１）に表示させる）。またこの際、表示可能なノードやリンクの一覧から表示すべきものを利用者が選択して、それを表示させるようにもできる（図４の装置構成では、ＣＰＵ（３）が、このような表示変更についての入力情報を入力部３から受け、それに従って該当するノードやリンクを選択し、それを表示部（１）に表示させる）。
【００４５】
「隠蔽」：ｘの表示をやめる（図４の装置構成では、ＣＰＵ（３）が、表示変更についての入力情報を入力部（２）から受け、それに従って表示部（１）に表示されているｘを消す）。
【００４６】
「位置の移動」：順序なしコンテンツのグラフのノードまたはリンクｘの表示の位置を変える（図４の装置構成では、ＣＰＵ（３）が、このような表示変更についての入力情報を入力部（２）から受け、それに従って表示部（１）にノードまたはリンクＸの位置を変更して表示させる）。
【００４７】
「詳細化」：要約がｘであるようなコンテンツがあれば、それを表示する（図４の装置構成では、ＣＰＵ（３）が、このような表示変更についての入力情報を入力部（２）から受け、それに従って該当するコンテンツを検索し、それを表示部（１）に表示させる）。
【００４８】
コンテンツの表示と表現だけを変更する操作には、たとえば次のようなものを含む。
【００４９】
「集約」：子の集合がＸに等しい複合ノードを表示する（図４の装置構成では、ＣＰＵ（３）が、このような表示表現変更についての入力情報を入力部（２）から受け、それに従って該当する複合ノードを検索し、それを表示部（１）に表示させる）。そのような複合ノードがなければ自動生成する（図４の装置構成では、ＣＰＵ（３）が、そのような表示変更についての入力情報を入力部（２）から受け、それに従って該当する複合ノードを検索し、検索されなければ自動生成して、それを表示部（１）に表示させる）。
【００５０】
「順序化」：ｘと等価な、要約でない順序つきノードであって、すべての子孫が順序つきノードであるようなものを表示する（図４の装置構成では、ＣＰＵ（３）が、このような表示表現変更についての入力情報を入力部（２）から受け、それに従って該当する複合ノードを検索し、それを表示部（１）に表示させる）。そのような順序つきノードがなくて自動生成可能ならば自動生成し、複数個あればそのうちの表示すべきものを利用者に選択させる（図４の装置構成では、ＣＰＵ（３）が、このような表示変更についての入力情報を入力部（２）から受け、それに従って該当する複合ノードを検索し、検索されなければ自動生成して、それを表示部（１）に表示させ、またこの表示後にさらに表示変更についての入力情報を入力部（２）から受け、それに従って該当する複合ノードを選択し、それを表示部（１）に表示させる）。
【００５１】
「要約」：ｘの内容の要約であって所定の詳細度を持つような順序つきノードを表示する（図４の装置構成では、ＣＰＵ（３）が、このような表示表現変更についての入力情報を入力部（２）から受け、それに従って該当する順序つきノードを検索し、それを表示部（１）に表示させる）。そのような順序つきノードが存在せず自動生成可能ならば自動生成し、複数個あればそのうちの表示すべきものを利用者に選択させる（図４の装置構成では、ＣＰＵ（３）が、このような表示表現変更についての入力情報を入力部（２）から受け、それに従って該当する順序つきノードを検索し、検索されなければ自動生成して、それを表示部（１）に表示させ、またこの表示後にさらに表示変更についての入力情報を入力部（２）から受け、それに従って該当する順序つきノードを選択し、それを表示部（１）に表示させる）。
【００５２】
「翻訳」：ｘの内容を所定の言語に変換した結果を内容とする順序つきノードを表示する（図４の装置構成では、ＣＰＵ（３）が、このような表示表現変更についての入力情報を入力部（２）から受け、それに従って該当する順序つきノードを検索し、それを表示部（１）に表示させる）。そのような順序つきノードが存在せず自動生成可能ならば自動生成し、複数個あればそのうちの表示すべきものを利用者に選択させる（図４の装置構成では、ＣＰＵ（３）が、このような表示表現変更についての入力情報を入力部（２）から受け、それに従って該当する順序つきノードを検索し、検索されなければ自動生成して、それを表示部（１）に表示させ、またこの表示後にさらに表示変更についての入力情報を入力部（２）から受け、それに従って該当する順序つきノードを選択し、それを表示部（１）に表示させる）。
【００５３】
「順序の置換」：順序つきコンテンツの中でノードｘの位置を変える。このとき、その順序つきコンテンツの内容が保存されるように、ｘの内部やｘの周辺のノードにおいても表現を必要があれば変更する（図４の装置構成では、ＣＰＵ（３）が、このような表示表現変更についての入力情報を入力部（２）から受け、それに従って該当する順序つきコンテンツの意味内容が保存されるように必要な表現を変更し、それを表示部３に表示させる）。たとえば、図５において第３の子ノードの順位をひとつ上げると図１１のようになるが、ここでは子ノードの順序が変わるだけでなく、図５のコンテンツと図１１のコンテンツが等価になるように、図５の第２の子ノードが図１１の第３の子ノードになる際に内容が変わっている。つまり、接続詞「また」が消去され、助詞「は」が「が」で置き換わり、文末に「からである」が付加されている（図４の装置構成では、このような等価な接続詞や接続助詞、語尾表現などのデータは予めデータベース（５）に蓄積されており、ＣＰＵ（３）が表現変更時に参照する）。
【００５４】
コンテンツの意味内容を変更する操作は、たとえば次のようなものを含む。
【００５５】
「変更」：複合コンテンツｘのタグや属性、順序つきコンテンツｘの範囲つまり始点と終点、順序つきコンテンツｘの一部のテキストデータ、リンクｘのラベルまたは始点または終点を変更する（図４の装置構成では、ＣＰＵ（３）が、このような意味内容変更についての入力情報を入力部（２）から受け、それに従って該当するタグや属性、範囲等を変更し、必要があればそれを表示部（１）に表示させる）。
【００５６】
「併合」：ある複合ノードｙを選択し、ｘをその子に入れる（図４の装置構成では、ＣＰＵ（３）が、このような意味内容変更についての入力情報を入力部（２）から受け、それに従って該当するｙとｘとを変更し、必要があればそれを表示部（１）に表示させる）。これにより、ｙと等価なコンテンツにｘと等価な子ができる場合がある。
【００５７】
「解除」：ｘおよびｘを端点とするリンクを消去する。ただしｘの子は残す（図４の装置構成では、ＣＰＵ（３）が、このような意味内容変更についての入力情報を入力部（２）から受け、それに従って該当するｘの子は残してｘおよびリンクを消去し、必要があれば表示部（１）の該当表示も消す）。
【００５８】
「削除」：ｘを消去する。ｘだけの子孫であるノードとリンクもすべて消去する（図４の装置構成では、ＣＰＵ（３）がこのような意味内容変更についての入力情報を入力部（２）から受け、それに従って該当するｘ、ノード、リンクを消去し、必要があれば表示部（１）の該当表示も消す）。
【００５９】
「解析」：ノードｘの意味内容を自動解析して構造化を施す。これによってｘと等価なノードの意味内容に関する変更が自動的に行われる（図４の装置構成では、ＣＰＵ（３）が、このような意味内容変更についての入力情報を入力部（２）から受け、それに従って該当するノードｘの意味内容を自動解析して各種の構造化処理を実行し、且つｘと等価なノードを検索してその意味内容に関する変更をも行い、必要があれば変更後のものを表示部（１）に表示させる）。その意味内容がテキストや音声データ等の自然言語のコンテンツである場合の構造化処理は、言語的構造に即した内部構造を与えることで行う。意味内容が動画コンテンツである場合の構造化処理は、有意味なシーンへの分割などで行う。これらの具体的方法については公知の構造化手法を採用することができる（図４の装置構成では、このような具体的な構造化手法は対応する意味内容毎に分別されて予めデータベース（５）に蓄積されており、ＣＰＵ（３）が意味内容変更時に参照する）。
【００６０】
「結合」：あるノードｙを選択し、ｘとｙの間にリンクを作る（図４の装置構成では、このような意味内容変更についての入力情報を入力部（２）から受け、それに従って該当するリンクを作成し、必要があればそれを表示部（１）に表示させる）。非対称な２項関係（図６の「理由」など）を指定する場合には、ｙを第１項、ｘを第２項とする。
【００６１】
これらコンテンツの意味内容を変える操作に際しては、前記制約を満たすような派生的な変更がしばしば生じる。たとえば「解除」においては、ｘを内部に含むノードｙの意味内容が変わるので、ｙと等価なノードにおいてその等価性を保つ変更を自動的に行う。同様に「削除」でも、ｘを内部に含むノードと等価なノードにおいて変更を自動的に行う。
【００６２】
以上のとおりの操作によって、順序なしコンテンツの作成段階からその意味内容の詳細な構造化を効率良く行えるように利用者を支援することができ、この構造化に基づいて等価な順序つきコンテンツを自動作成できる。これによれば、コンテンツ作成支援の高度化が実現されて、利用者は少ない作業コストで容易に両種のコンテンツを並行して作成できるようになる。
【００６３】
また、順序なしコンテンツでは、詳細な構造化によって「原因」などの関係が明示され、且つ文の空間的配置の自由度が高いので、その作成過程においてコンテンツの意味内容に関する発想をも支援することができる。したがってそこから順序つきコンテンツを半自動的に作成することにより、コンテンツの品質を高めながらコンテンツ作成作業全体のコストを低減させることもできる。
【００６４】
さらにまた、意味内容がコンピュータにも理解できるようにコンテンツを構造化しておくことにより、検索、分析、要約、翻訳などの情報サービスの精度と効率を大幅に向上させることができる。したがって、多くの順序つきコンテンツをひとつの順序なしコンテンツに対応させてまとめて構造化し、複数の利用者の間で共有することにより、組織の各成員の知的生産性を高めるのみならず、組織内での知識管理を効率化し、組織全体としての生的生産性を向上させることもできる。
【００６５】
以上によれば、コンテンツ作成に関しては、新しいコンテンツをゼロから作成する際の効率と品質を向上させるだけでなく、個人や社内での文書の再利用を簡単にすることにより、単位時間当たりの生産性を高めることができ、また、検索や翻訳、要約、分析に関しても、それに費やす労働時間を短縮させて、それに伴い知的生産性を向上させることができ、よって総合的な生産性向上が実現されることとなる。
【００６６】
もちろん、この出願の発明は以上の実施形態に限定されるものではなく、細部については様々な態様が可能である。
【００６７】
【発明の効果】
以上詳しく説明したとおり、この出願の発明によって、情報コンテンツを構造化することで、情報コンテンツの作成作業にかかるコストを低減させ、かつ作成されるコンテンツの品質を向上させることができ、またさらには、高精度の検索や要約や翻訳などの情報サービスが広く利用可能となる環境を実現することのできる、新しい情報コンテンツ作成方法、情報コンテンツ作成プログラムおよび当該プログラムを記録したコンピュータ読み取り可能な記録媒体が提供される。
【図面の簡単な説明】
【図１】この出願の発明を説明するための処理フロー図である。
【図２】この出願の発明を説明するための別の処理フロー図である。
【図３】この出願の発明を説明するためのさらに別の処理フロー図である。
【図４】この出願の発明を説明するための装置構成図である。
【図５】順序つきコンテンツの一例を示した図である。
【図６】順序なしコンテンツの一例を示した図である。
【図７】等価なコンテンツの内部構造の対応関係の一例を示した図である。
【図８】等価なコンテンツの内部構造の対応関係の別の一例を示した図である。
【図９】明示されていないノードの選択処理の一例を示した図である。
【図１０】等価性の表示の一例を示した図である。
【図１１】順序つきコンテンツにおける子ノードの順序の入れ替え処理の一例を示した図である。
【符号の説明】
１  表示部
２  入力部
３  処理部（ＣＰＵ）
４  主記憶部
５  データベース
６  バス
【図１】
2005018172.tif 000003
【図２】
2005018172.tif 000004
【図３】
2005018172.tif 000005
【図４】
2005018172.tif 000006
【図５】
2005018172.tif 000007
【図６】
2005018172.tif 000008
【図７】
2005018172.tif 000009
【図８】
2005018172.tif 000010
【図９】
2005018172.tif 000011
【図１０】
2005018172.tif 000012
【図１１】
2005018172.tif 000013